(57)【要約】【課題】一対の相手側端子の端子間ピッチの公差を吸収して一対の相手側端子と一対の端子とを正規に接続させる。【解決手段】本明細書によって開示されるコネクタ１０は、相手側コネクタ１００と嵌合可能なコネクタ１０であって、相手側コネクタ１００との嵌合方向と交差する方向に並んで配置され、相手側コネクタ１００に設けられた相手側端子１１０と接続可能な一対の端子５１と、柔軟性を有する柔軟導体５２であって、一対の端子５１の間に配されて一対の端子５１を導通可能に接続する柔軟導体５２と、一対の端子５１を内部に収容し、一対の端子５１の並び方向において一対の端子５１をそれぞれ移動可能に支持するハウジング（フロントハウジング２０、リアハウジング３０）とを備えた構成とした。【選択図】図９
2019164939.tif 000002
【特許請求の範囲】
【請求項１】
相手側コネクタと嵌合可能なコネクタであって、
前記相手側コネクタとの嵌合方向と交差する方向に並んで配置され、前記相手側コネクタに設けられた相手側端子と接続可能な一対の端子と、
柔軟性を有する柔軟導体であって、前記一対の端子の間に配されて前記一対の端子を導通可能に接続する柔軟導体と、
前記一対の端子を内部に収容し、前記一対の端子の並び方向において前記一対の端子をそれぞれ移動可能に支持するハウジングとを備えたコネクタ。
【請求項２】
前記ハウジングは、前記一対の端子の前端側を内部に収容する一対のフロントハウジングと、前記柔軟導体を内部に収容し、前記一対の端子の後端側を内部に収容するリアハウジングとを備えて構成され、前記リアハウジングは、前記一対の端子の並び方向において前記一対のフロントハウジングをそれぞれ移動可能に支持する請求項１に記載のコネクタ。
【請求項３】
前記リアハウジングは、後方に開口する装着口を有し、前記装着口がカバーによって閉止されることで前記一対の端子が前記カバーにより抜け止めされている請求項２に記載のコネクタ。
【請求項４】
前記リアハウジングは、前方に開口する一対の挿通口を有し、前記一対のフロントハウジングは、前記一対の挿通口に前方から挿通される一対の挿通部を有し、前記一対の挿通口から後方に突出した前記一対の挿通部が一対の保持部材により保持されている請求項２または請求項３に記載のコネクタ。
【発明の詳細な説明】
【技術分野】
【０００１】
本明細書によって開示される技術は、コネクタに関する。
【背景技術】
【０００２】
従来、端子同士を正規に接続させるコネクタとして、特開２０１４−２２２６６号公報（下記特許文献１）に記載のコネクタが知られている。このコネクタは、ハウジングと、端子が内部に収容された端子収容部とを備えて構成され、ハウジングは、相手側ケースの開口に嵌合可能な嵌合部を備えている。相手側ケースの開口の内部には機器側コネクタが設けられており、この機器側コネクタに設けられたフード部の内部に端子収容部が嵌合可能とされている。
【０００３】
ところで、機器側コネクタは相手側ケースの開口に対して所定の取付公差をもって取り付けられている場合がある。この場合、ハウジングの嵌合部は、相手側ケースの開口の位置に合わせて取り付けられ、端子収容部は、機器側コネクタのフード部の内部に嵌合する必要があるから、端子収容部は、ハウジングの嵌合部に対して嵌合方向と直交する方向に遊動可能とされている。
【先行技術文献】
【特許文献】
【０００４】
【特許文献１】特開２０１４−２２２６６号公報
【発明の概要】
【発明が解決しようとする課題】
【０００５】
しかしながら、上記のコネクタでは、端子収容部に対して各端子が所定の公差で自由に動けるように構成されていないため、機器側コネクタの内部に設けられた各機器側端子に対して端子収容部の各端子をそれぞれ位置合わせすることができない。したがって、機器側端子の端子間ピッチの公差が大きい場合には、端子収容部の位置を調整するだけでは各機器側端子と各端子を正規に接続させることができなくなる。
【課題を解決するための手段】
【０００６】
本明細書によって開示されるコネクタは、相手側コネクタと嵌合可能なコネクタであって、前記相手側コネクタとの嵌合方向と交差する方向に並んで配置され、前記相手側コネクタに設けられた相手側端子と接続可能な一対の端子と、柔軟性を有する柔軟導体であって、前記一対の端子の間に配されて前記一対の端子を導通可能に接続する柔軟導体と、前記一対の端子を内部に収容し、前記一対の端子の並び方向において前記一対の端子をそれぞれ移動可能に支持するハウジングとを備えた構成とした。
【０００７】
このような構成によると、一対の端子が柔軟導体によって導通可能に接続されているから、一対の端子がそれぞれハウジングに移動可能に支持される。したがって、相手側端子の端子間ピッチの公差が大きい場合でも、その公差を吸収することができ、一対の相手側端子と一対の端子とを正規に接続させることができる。
【０００８】
本明細書によって開示されるコネクタは、以下の構成としてもよい。
前記ハウジングは、前記一対の端子の前端側を内部に収容する一対のフロントハウジングと、前記柔軟導体を内部に収容し、前記一対の端子の後端側を内部に収容するリアハウジングとを備えて構成され、前記リアハウジングは、前記一対の端子の並び方向において前記一対のフロントハウジングをそれぞれ移動可能に支持する構成としてもよい。
このような構成によると、一対のフロントハウジングがそれぞれリアハウジングに移動可能に支持されることで一対の端子がそれぞれ移動可能とされる。
【０００９】
前記リアハウジングは、後方に開口する装着口を有し、前記装着口がカバーによって閉止されることで前記一対の端子が前記カバーにより抜け止めされている構成としてもよい。
このような構成によると、一対の端子を装着口からリアハウジングに装着し、カバーによって装着口を閉止することで一対の端子を抜け止めすることができる。
【００１０】
前記リアハウジングは、前方に開口する一対の挿通口を有し、前記一対のフロントハウジングは、前記一対の挿通口に前方から挿通される一対の挿通部を有し、前記一対の挿通口から後方に突出した前記一対の挿通部が一対の保持部材により保持されている構成としてもよい。
このような構成によると、一対の挿通部を一対の挿通口に挿通させて一対の保持部材により保持することにより一対のフロントハウジングがリアハウジングに保持される。
【発明の効果】
【００１１】
本明細書によって開示されるコネクタによれば、一対の相手側端子の端子間ピッチの公差を吸収して一対の相手側端子と一対の端子とを正規に接続させることができる。
【図面の簡単な説明】
【００１２】
【図１】コネクタの構成部品を斜め前方から見た分解斜視図
【図２】コネクタの構成部品を斜め後方から見た分解斜視図
【図３】正規位置にある一対の相手側端子に一対の端子を接続させる前の状態を示した断面図
【図４】正規位置にある一対の相手側端子に一対の端子を接続させた状態を示した断面図
【図５】正規位置よりも内側にある一対の相手側端子に一対の端子を接続させる前の状態を示した断面図
【図６】正規位置よりも内側にある一対の相手側端子に一対の端子を接続させた状態を示した断面図
【図７】正規位置よりも外側にある一対の相手側端子に一対の端子を接続させる前の状態を示した断面図
【図８】正規位置よりも外側にある一対の相手側端子に一対の端子を接続させた状態を示した断面図
【図９】一対の相手側端子の位置に合わせて一対の端子が内側に移動する様子を示した断面図
【図１０】コネクタの正面図
【図１１】図１０のＡ−Ａ線断面図
【図１２】コネクタの内部構造を示した断面図
【発明を実施するための形態】
【００１３】
＜実施形態＞
実施形態を図１から図１２の図面を参照しながら説明する。本実施形態のコネクタ１０は、図１に示すように、一対のフロントハウジング２０と、リアハウジング３０と、一対の保持部材４０と、導電部材５０と、カバー６０とを備えて構成されている。図３および図４に示すように、コネクタ１０は相手側コネクタ１００と嵌合可能とされている。相手側コネクタ１００は、例えばバッテリー等の内部に設けられている。
【００１４】
まず、相手側コネクタ１００の構成について説明する。相手側コネクタ１００は、図３に示すように、一対の相手側端子１１０と、一対の相手側端子１１０が内部に収容された一対の端子収容部１２０と、一対の端子収容部１２０が組み付けられたケース１３０とを備えて構成されている。
【００１５】
相手側端子１１０は、筒状をなす端子接続部１１１と、板状をなす電線接続部１１２とを備えて構成されている。端子接続部１１１は、複数の接触片１１３を環状に配置したものであって、接触片１１３は円筒状をなす基端部１１４の前縁から片持ち状をなして前方に延びる形態とされている。電線接続部１１２には図示しない電線が溶接される。
【００１６】
端子収容部１２０は略円筒状をなし、端子接続部１１１を内部に収容可能とされている。端子収容部１２０の内径は、端子接続部１１１の基端部１１４の外径とほぼ同じである。端子接続部１１１の接触片１１３は、端子収容部１２０の内壁１２２に沿って前方に延びる山形をなし、接触片１１３の接点部１１５の位置で内壁１２２から最も離間している。端子収容部１２０の前端部には端子収容孔１２１が設けられており、端子収容孔１２１の孔縁と接触片１１３の前縁とが前後方向に連なるように近接して配されている。
【００１７】
ケース１３０は、一対の端子収容部１２０を挿通させる一対の嵌合筒部１３１を有している。一対の嵌合筒部１３１の両側には、ロック受け部１３２が設けられている。
【００１８】
次に、コネクタ１０の構成について説明する。導電部材５０は、一対の端子５１と、一対の端子５１を導通可能に接続する柔軟導体５２とを備えて構成されている。端子５１は導電性の金属からなる雄端子であって、相手側端子１１０と接続可能とされ、丸ピン形状のピン端子部５３と、平板形状の平端子部５４とを備えて構成されている。ピン端子部５３は、平端子部５４の前縁から前方に延びる形態をなし、ピン端子部５３の前端部は丸みを帯びた誘い込み部５５とされている。なお、ピン端子部５３と平端子部５４の間にはフランジ部５６が周設されており、フランジ部５６はピン端子部５３よりも一回り大きいものとされている。
【００１９】
柔軟導体５２は柔軟性を有する編組線であって、導電性の金属素線を編組し、中空部分を圧縮し平らに成形したものである。図１に示すように、柔軟導体５２の一端は一方の端子５１の平端子部５４に溶接され、柔軟導体５２の他端は他方の端子５１の平端子部５４に溶接されている。柔軟導体５２の中央部はその両端よりもやや膨らんでいる。一対の端子５１は柔軟導体５２を介して平行に並んで配置されており、柔軟導体５２が伸縮することで接近および離間することが可能とされている。
【００２０】
リアハウジング３０は合成樹脂製であって、図２に示すように、後方に開口する装着口３１を有している。リアハウジング３０の内部には複数の係止突起３６が設けられている。また、リアハウジング３０の両側には、一対のロック片３７が設けられている。ロック片３７の前端部にはロック突部３８が設けられており、図４に示すように、コネクタ１０と相手側コネクタ１００が嵌合した状態では、ロック突部３８がロック受け部１３２に係止することで嵌合状態が保持されるようになっている。
【００２１】
リアハウジング３０の底壁３２の内面には台座部３３が上方に突出して設けられている。図１２に示すように、台座部３３の上方には柔軟導体５２が配されており、仮に各端子５１を上下逆にしてリアハウジング３０の内部に収容しようとすると、柔軟導体５２が台座部３３に干渉することで各端子５１が上下逆となった誤った姿勢であることが検知できるようになっている。
【００２２】
図１に示すように、リアハウジング３０の前壁３４には一対の挿通口３５が前方に開口して設けられている。挿通口３５は正面から見て正方形状とされ、挿通口３５の内周面のうち上下の面には一対の挿通溝３５Ａが設けられている。これらの挿通溝３５Ａは、図１２に示すように、各係止突起３６と対応する位置に設けられている。
【００２３】
フロントハウジング２０は合成樹脂製であって、図１および図２に示すように、円筒状をなすフード部２１と、フード部２１の後方に連なる挿通部２２とを備えて構成されている。挿通部２２は角形のブロック状をなし、フード部２１の後端から後方に突出して設けられている。挿通部２２には端子５１のピン端子部５３が挿入可能な端子挿入孔２３が設けられている。挿通部２２の外周面のうち上下の面には一対の保持突起２４が設けられている。
【００２４】
挿通部２２はリアハウジング３０の挿通口３５に前方から挿通可能とされ、図１１に示すように、一対の保持突起２４が挿通口３５から後方に突出した状態でリアハウジング３０の内部に収容される。この状態でリアハウジング３０の装着口３１から枠状の保持部材４０を装着すると、保持部材４０を構成する上枠４１と下枠４２が一対の保持突起２４に前方から係止することでフロントハウジング２０の挿通部２２がリアハウジング３０に保持される。
【００２５】
カバー６０は合成樹脂製であって、図１および図２に示すように、リアハウジング３０の装着口３１を閉止するカバー本体６１と、カバー本体６１を装着口３１に保持させる複数の係止片６２とを備えて構成されている。係止片６２は後方に開口する門形をなし、図１１に示すように、係止片６２の前端部が係止突起３６に前方から係止することでカバー６０がリアハウジング３０に保持される。
【００２６】
カバー本体６１の前面には、端子５１のフランジ部５６に対して後方から係止可能な端子係止部６３が前方に突出して設けられている。端子係止部６３は、図１に示すように、前方から見て略Ｔ字状をなしており、上下一対の係止片６２の間に配されている。したがって、カバー６０をリアハウジング３０の装着口３１に装着すると、各係止片６２が各係止突起３６に係止することでカバー本体６１がリアハウジング３０に保持されるとともに、端子係止部６３がフランジ部５６に後方から係止することで各端子５１が抜け止めされる。仮にカバー６０を上下逆にしてリアハウジング３０の装着口３１に装着しようとすると、端子係止部６３が台座部３３に干渉することでカバー６０が上下逆となった誤った姿勢であることが検知できるようになっている。
【００２７】
さて、本実施形態の各端子５１は相手側端子１１０の位置に合わせて左右方向に移動可能とされている。ここでいう左右方向とは、一対の端子５１の並び方向のことであり、コネクタ１０と相手側コネクタ１００の嵌合方向と直交する方向のことである。図３および図４に示す相手側端子１１０は、正規位置に設けられている場合を示している。図５および図６に示す相手側端子１１０は、正規位置よりも内側に位置して設けられている場合を示している。図７および図８に示す相手側端子１１０は、正規位置よりも外側に位置して設けられている場合を示している。
【００２８】
各端子５１の各端子接続部１１１は、各フロントハウジング２０の内部に収容されており、端子５１とフロントハウジング２０は一体となって左右方向に移動可能とされている。すなわち、フロントハウジング２０の挿通部２２は、リアハウジング３０の挿通口３５よりも左右方向に小さめとされており、挿通部２２と挿通口３５の孔縁部との間には所定のクリアランスが設定されている。このクリアランスの分だけフロントハウジング２０がリアハウジング３０に対して左右方向に移動可能とされている。このため、端子５１はフロントハウジング２０に支持された状態でリアハウジング３０に対して左右方向に移動可能とされている。一方、図１１に示すように、上下方向においては挿通部２２と挿通口３５の孔縁部との間にクリアランスが設定されておらず、端子５１はリアハウジング３０によって上下方向には移動しないように支持されている。
【００２９】
図９に示すように、一対の相手側端子１１０が正規位置よりも内側に位置して設けられている場合には、各端子５１の各誘い込み部５５が各端子接続部１１１の端子収容孔１２１の孔縁部に摺動することで、各端子５１が内側に平行移動することになる。そして、端子５１と相手側端子１１０が同軸に配置されたら、端子５１のピン端子部５３が端子接続部１１１の内部に嵌合し始める。端子同士５１、１１０の嵌合が完了したら、図６に示すように、各端子収容部１２０が各フード部２１の内部に嵌合し、各接触片１１３の各接点部１１５が各ピン端子部５３の外周面に接触した状態となる。こうして、コネクタ１０と相手側コネクタ１００の嵌合が完了し、各端子５１、１１０が導通可能に接続される。
【００３０】
以上のように本実施形態では、一対の端子５１が柔軟導体５２によって導通可能に接続されているから、一対の端子５１がそれぞれハウジング（リアハウジング３０）に移動可能に支持される。したがって、相手側端子１１０の端子間ピッチの公差が大きい場合でも、その公差を吸収することができ、一対の相手側端子１１０と一対の端子５１とを正規に接続させることができる。
【００３１】
ハウジングは、一対の端子５１の前端側を内部に収容する一対のフロントハウジング２０と、柔軟導体５２を内部に収容し、一対の端子５１の後端側を内部に収容するリアハウジング３０とを備えて構成され、リアハウジング３０は、一対の端子５１の並び方向において一対のフロントハウジング２０をそれぞれ移動可能に支持する構成としてもよい。
このような構成によると、一対のフロントハウジング２０がそれぞれリアハウジング３０に移動可能に支持されることで一対の端子５１がそれぞれ移動可能とされる。
【００３２】
リアハウジング３０は、後方に開口する装着口３１を有し、装着口３１がカバー６０によって閉止されることで一対の端子５１がカバー６０により抜け止めされている構成としてもよい。
このような構成によると、一対の端子５１を装着口３１からリアハウジング３０に装着し、カバー６０によって装着口３１を閉止することで一対の端子５１を抜け止めすることができる。
【００３３】
リアハウジング３０は、前方に開口する一対の挿通口３５を有し、一対のフロントハウジング２０は、一対の挿通口３５に前方から挿通される一対の挿通部２２を有し、一対の挿通口３５から後方に突出した一対の挿通部２２が一対の保持部材４０により保持されている構成としてもよい。
このような構成によると、一対の挿通部２２を一対の挿通口３５に挿通させて一対の保持部材４０により保持することにより一対のフロントハウジング２０がリアハウジング３０に保持される。
【００３４】
＜他の実施形態＞
本明細書によって開示される技術は上記記述及び図面によって説明した実施形態に限定されるものではなく、例えば次のような種々の態様も含まれる。
（１）上記実施形態では柔軟導体５２として編組線を例示しているが、被覆電線の被覆を皮剥ぎすることで露出させた芯線を用いてもよい。この場合、芯線はストレート線でもよいし、撚線でもよい。
【００３５】
（２）上記実施形態では一対の端子５１を備えたコネクタ１０を例示しているものの、３つ以上の端子５１を備えたコネクタとしてもよい。３つ以上の端子５１を備えたコネクタでは、相手側端子の端子間ピッチを吸収する必要がある場合に、その相手側端子に接続される端子５１同士を柔軟導体５２によって導通可能に接続すればよい。このように、３つ以上の端子５１のうち隣り合う一対の端子５１のみを柔軟導体５２によって接続してもよいし、全ての端子５１について隣り合う一対の端子５１を柔軟導体５２によってそれぞれ接続してもよい。
【００３６】
（３）上記実施形態では一対のフロントハウジング２０とリアハウジング３０によってハウジングを構成しているものの、一対のフロントハウジングとリアハウジングを一体に構成してもよい。その場合、端子を収容するキャビティを端子よりもやや大きめに形成しておき、端子とキャビティの内壁との間に所定のクリアランスを設定してもよい。
【００３７】
（４）上記実施形態では端子５１がカバー６０の端子係止部６３によって抜け止めされているものの、リアハウジング３０の内部に抜け止め用の突起を設けるなどしてもよい。
【００３８】
（５）上記実施形態ではフロントハウジング２０に挿通部２２を設けて保持部材４０によって挿通部２２を保持しているものの、挿通部に係止片を設けてこの係止片を挿通口３５の孔縁に係止させてもよい。
【符号の説明】
【００３９】
１０…コネクタ
２０…フロントハウジング
２２…挿通部
３０…リアハウジング
３１…装着口
３５…挿通口
４０…保持部材
５１…端子
５２…柔軟導体
６０…カバー
１００…相手側コネクタ
１１０…相手側端子
【図１】
2019164939.tif 000003
【図２】
2019164939.tif 000004
【図３】
2019164939.tif 000005
【図４】
2019164939.tif 000006
【図５】
2019164939.tif 000007
【図６】
2019164939.tif 000008
【図７】
2019164939.tif 000009
【図８】
2019164939.tif 000010
【図９】
2019164939.tif 000011
【図１０】
2019164939.tif 000012
【図１１】
2019164939.tif 000013
【図１２】
2019164939.tif 000014